(57)【特許請求の範囲】
【請求項１】
周波数拡散されたクロックを基準に動作し、入力画像信号を処理する画像処理装置であって、
動作の基準となるシステムクロックを出力するシステムクロック生成部と、
前記システムクロックに基づいて生成される測定用クロックを基準に、前記入力画像信号に対応する同期信号期間および同期信号周期を少なくとも含む同期信号特性値を測定する同期信号測定部と、
測定された前記同期信号特性値に基づいて、前記入力画像信号を解析する画像信号解析部と、を備え、
前記システムクロック生成部は、発振周波数を変化させることにより、周波数拡散された周波数拡散クロックを前記システムクロックとして出力し、
前記画像信号解析部は、測定された前記同期信号特性値が、所定の範囲外であるときには、前記入力画像信号の仕様は変化しており、前記所定の範囲内であるときには、前記入力画像信号の仕様は変化していないと判定するとともに、判定結果に応じて前記入力画像信号を解析することを特徴する画像処理装置。
【請求項２】
請求項１記載の画像処理装置であって、
前記システムクロック生成部は、前記同期信号測定部が前記同期信号特性値を測定する測定期間において、第１の拡散量で周波数拡散された第１の周波数拡散クロックを前記システムクロックとして出力し、前記測定期間を除く期間において、第２の拡散量で周波数拡散された第２の周波数拡散クロックを前記システムクロックとして出力する、画像処理装置。
【請求項３】
前記第１の拡散量は、前記第２の拡散量よりも小さい請求項２記載の画像処理装置。
【請求項４】
請求項２または請求項３記載の画像処理装置であって、
前記システムクロック生成部は、
前記第１の周波数拡散クロックを生成する第１の周波数拡散クロック生成部と、前記第２の周波数拡散クロックを生成する第２の周波数拡散クロック生成部と、生成された前記第１の周波数拡散クロックと第２の周波数拡散クロックのいずれか一方を選択する選択部と、を備える、
画像処理装置。
【請求項５】
請求項２または請求項３記載の画像処理装置であって、
前記システムクロック生成部は、前記第１の拡散量と前記第２の拡散量とが選択可能に構成され、選択された拡散量に対応する周波数拡散クロックを生成する周波数拡散クロック生成部を備える、画像処理装置。
【請求項６】
周波数拡散されたクロックを基準に動作し、入力画像信号を処理する画像処理装置であって、
動作の基準となるシステムクロックを出力するシステムクロック生成部と、
前記システムクロックに基づいて生成される測定用クロックを基準に、前記入力画像信号に対応する同期信号期間および同期信号周期を少なくとも含む同期信号特性値を測定する同期信号測定部と、
測定された前記同期信号特性値に基づいて、前記入力画像信号を解析する画像信号解析部と、を備え、
前記システムクロック生成部は、前記同期信号測定部が前記同期信号特性値を測定する測定期間において、実質的に単一な発振周波数を有する単一周波数クロックを前記システムクロックとして出力し、前記測定期間を除く期間において、発振周波数を変化させることにより、周波数拡散された周波数拡散クロックを前記システムクロックとして出力し、
前記画像信号解析部は、測定された前記同期信号特性値が、所定の範囲外であるときには、前記入力画像信号の仕様は変化しており、前記所定の範囲内であるときには、前記入力画像信号の仕様は変化していないと判定するとともに、判定結果に応じて前記入力画像信号を解析することを特徴する画像処理装置。
【請求項７】
請求項６記載の画像処理装置であって、
前記システムクロック生成部は、
前記単一周波数クロックを生成する単一周波数クロック生成部と、前記周波数拡散クロックを生成する周波数拡散クロック生成部と、生成された前記単一周波数クロックと前記周波数拡散クロックのいずれか一方を選択する選択部と、を備える、
画像処理装置。
【請求項８】
請求項６記載の画像処理装置であって、
前記システムクロック生成部は、周波数拡散をするか否かを選択可能に構成され、前記単一周波数クロックと前記周波数拡散クロックのいずれか一方を生成する周波数拡散クロック生成部を備える、画像処理装置。
【発明の詳細な説明】
【０００１】
【発明の属する技術分野】
周波数拡散されたクロックを基準に動作し、入力画像信号を処理する画像処理装置に関し、特に入力画像信号の仕様を解析する技術に関する。
【０００２】
【従来の技術】
各種の電子機器が発生するノイズは、他の電子機器に好ましくない障害（ＥＭＩ（Ｅｌｅｃｔｒｏｍａｇｎｅｔｉｃ  Ｉｎｔｅｒｆｅｒｅｎｃｅ））を与える場合がある。このため、電子機器が発生するノイズ（以下、「ＥＭＩノイズ」と呼ぶ。）には、種々の規制が設けられている。
【０００３】
電子機器を開発し製造する場合において、通常、製造メーカは、製造する電子機器がＥＭＩノイズの規制を満足するように、電子機器が発生するＥＭＩノイズの低減を図っている。
【０００４】
ここで、電子機器を構成する電子回路は、通常、１または複数のクロックを基準に動作するのが一般的である。図７は、クロックの周波数スペクトラムの例を示す説明図である。実線で示すように、クロックの周波数スペクトラムは、通常、クロックの発振周波数（基本波：ｆ１）とその調波に相当する各周波数（ｆ２，ｆ３…）で振幅のピークを有する。このため、電子機器において発生するＥＭＩノイズの周波数スペクトルも、通常、クロックの発振周波数（ｆ１）とその調波に相当する各周波数（ｆ２，ｆ３…）で振幅のピークを有する。ＥＭＩノイズを低減するためには、クロックの基本波とその調波の各周波数で発生する振幅のピークを低減することが要求される。その一手法として、クロックの発振周波数を変化させることにより、図７に破線で示すように、周波数スペクトラムを拡散させて、クロックの基本波（ｆ１）とその調波の周波数（ｆ２，ｆ３…）で発生する周波数スペクトラムの振幅のピークを低減することが考えられている。以下では、クロックの発振周波数を変化させて、周波数スペクトラムを拡散させることを、「周波数拡散」と呼ぶ。また、クロックの発振周波数の変化量を「拡散量」と呼ぶ。一般に、拡散量が大きいほど、ＥＭＩノイズをより低減することが可能である。
【０００５】
【発明が解決しようとする課題】
画像表示装置も、動作の基準となるクロックに同期して種々の処理が実行される電子機器であるため、ＥＭＩノイズの低減を図ることが望まれている。しかし、画像表示装置において、上述したような周波数拡散によるＥＭＩノイズの低減を図る場合、以下に示す問題が発生する。
【０００６】
画像信号の仕様には、画像信号を出力する装置の種類（コンピュータ、ＤＶＤプレイヤ、ビデオレコーダ等）や、画像信号の表す画像の解像度等の種々の条件によって多くの種類が存在している。しかしながら、通常、画像信号中には、画像信号の仕様を直接的に示す情報が含まれていないため、画像表示装置においては、種々の仕様を有する画像信号の表す画像を表示可能とするために、入力される画像信号を解析し、解析された画像信号の仕様に応じて入力される画像信号を処理することが行われている。
【０００７】
画像信号の解析は、通常、入力される画像信号に対応する同期信号特性値として、同期信号周期および同期信号期間や、同期信号の極性等を求めて、求められた同期信号特性値に対応する画像信号の仕様を、あらかじめ準備されているデータベースから求めることにより行われる。同期信号周期および同期信号期間は、例えば、測定用クロックでこれらの期間をカウントすることにより測定される。測定用クロックは、通常、動作の基準となるシステムクロックに基づいて生成される。
【０００８】
ここで、画像表示装置のＥＭＩノイズを低減するために、動作の基準となるシステムクロックを周波数拡散させるとすると、システムクロックに基づいて生成される測定用クロックも周波数拡散されることになる。測定用クロックが周波数拡散されると、発振周波数の変化に応じて、測定される同期信号特性値が変化する場合があり、実際の画像信号の仕様が変化していない場合であっても、画像信号の仕様が変化していると解析されてしまう場合があるという問題がある。このため、画像表示装置においては、周波数拡散によるＥＭＩノイズの低減を図ることが困難であった。
【０００９】
なお、上記問題は、画像表示装置に限らず、動作の基準となるクロックに従って動作し、種々の画像信号を処理する画像処理装置において共通する問題である。
【００１０】
この発明は、従来技術における上述の課題を解決するためになされたものであり、周波数拡散されたクロックを基準に動作し、入力画像信号を処理する画像処理装置において、安定に入力画像信号の仕様を解析する技術を提供することを目的とする。
【００１１】
【課題を解決するための手段およびその作用・効果】
上述の課題を解決するため、本発明の第１の装置は、周波数拡散されたクロックを基準に動作し、入力画像信号を処理する画像処理装置であって、
動作の基準となるシステムクロックを出力するシステムクロック生成部と、
前記システムクロックに基づいて生成される測定用クロックを基準に、前記入力画像信号に対応する同期信号期間および同期信号周期を少なくとも含む同期信号特性値を測定する同期信号測定部と、
測定された前記同期信号特性値に基づいて、前記入力画像信号を解析する画像信号解析部と、を備え、
前記システムクロック生成部は、発振周波数を変化させることにより、周波数拡散された周波数拡散クロックを前記システムクロックとして出力し、
前記画像信号解析部は、測定された前記同期信号特性値が、所定の範囲外であるときには、前記入力画像信号の仕様は変化しており、前記所定の範囲内であるときには、前記入力画像信号の仕様は変化していないと判定するとともに、判定結果に応じて前記入力画像信号を解析することを特徴する。
【００１２】
ここで、「周波数拡散」とは、クロックの発振周波数を変化させて、周波数スペクトラムを拡散させることを意味している。
【００１３】
上記第１の画像処理装置では、システムクロックが周波数拡散されることにより、システムクロックを基準に生成される測定用クロックの周波数が変化しても、測定された同期信号特性値が、所定の範囲外であるときには、前記入力画像信号の仕様は変化しており、前記所定の範囲内であるときには、前記入力画像信号の仕様は変化していないと判定される。これにより、測定用クロックの周波数が変化することによって発生する同期信号特性値の変化量を考慮して、入力画像信号の仕様が変化したか否かを判定することができるので、安定に入力画像信号の仕様を解析することができる。
【００１４】
上記第１の画像処理装置において、
前記システムクロック生成部は、前記同期信号測定部が前記同期信号特性値を測定する測定期間において、第１の拡散量で周波数拡散された第１の周波数拡散クロックを前記システムクロックとして出力し、前記測定期間を除く期間において、第２の拡散量で周波数拡散された第２の周波数拡散クロックを前記システムクロックとして出力することが好ましい。
【００１５】
また、前記第１の拡散量は、前記第２の拡散量よりも小さいこが好ましい。
【００１６】
ここで、「拡散量」とは、周波数拡散により変化するクロックの発振周波数の変化量を意味している。
【００１７】
上記構成によれば、同期信号特性値を測定する測定期間と、測定期間を除く期間とで、測定用クロックの周波数の変化量を変えることができる。これにより、測定期間を除く期間において適切なＥＭＩノイズの低減を図ることができるとともに、測定期間において入力画像信号の解析をより精度よく実行することができる。
【００１８】
なお、前記システムクロック生成部は、
前記第１の周波数拡散クロックを生成する第１の周波数拡散クロック生成部と、前記第２の周波数拡散クロックを生成する第２の周波数拡散クロック生成部と、生成された前記第１の周波数拡散クロックと第２の周波数拡散クロックのいずれか一方を選択する選択部と、を備えるようにしてもよい。
【００１９】
あるいは、前記システムクロック生成部は、前記第１の拡散量と前記第２の拡散量とが選択可能に構成され、選択された拡散量に対応する周波数拡散クロックを生成する周波数拡散クロック生成部を備えるようにしてもよい。
【００２０】
いずれのシステムクロック生成部であっても、測定期間において、第１の周波数拡散クロックを出力し、前記測定期間を除く期間において、第２の周波数拡散クロックを出力することができる。
【００２１】
第２の装置は、周波数拡散されたクロックを基準に動作し、入力画像信号を処理する画像処理装置であって、
動作の基準となるシステムクロックを出力するシステムクロック生成部と、
前記システムクロックに基づいて生成される測定用クロックを基準に、前記入力画像信号に対応する同期信号期間および同期信号周期を少なくとも含む同期信号特性値を測定する同期信号測定部と、
測定された前記同期信号特性値に基づいて、前記入力画像信号を解析する画像信号解析部と、を備え、
前記システムクロック生成部は、前記同期信号測定部が前記同期信号特性値を測定する測定期間において、実質的に単一な発振周波数を有する単一周波数クロックを前記システムクロックとして出力し、前記測定期間を除く期間において、発振周波数を変化させることにより、周波数拡散された周波数拡散クロックを前記システムクロックとして出力し、
前記画像信号解析部は、測定された前記同期信号特性値が、所定の範囲外であるときには、前記入力画像信号の仕様は変化しており、前記所定の範囲内であるときには、前記入力画像信号の仕様は変化していないと判定するとともに、判定結果に応じて前記入力画像信号を解析することを特徴する。
【００２２】
第２の画像処理装置においても、第１の画像処理装置と同様に、安定に入力画像信号の仕様を解析することができる。特に、第２の画像処理装置では、測定期間において、測定用クロックが実質的に単一な周波数を有する単一周波数クロックに基づいて生成されるので、第１の画像処理装置よりもより精度よく安定に入力画像信号を解析することができる。
【００２３】
なお、前記システムクロック生成部は、
前記単一周波数クロックを生成する単一周波数クロック生成部と、前記周波数拡散クロックを生成する周波数拡散クロック生成部と、生成された前記単一周波数クロックと前記周波数拡散クロックのいずれか一方を選択する選択部と、を備えるようにしてもよい。
【００２４】
あるいは、前記システムクロック生成部は、周波数拡散をするか否かを選択可能に構成され、前記単一周波数クロックと前記周波数拡散クロックのいずれか一方を生成する周波数拡散クロック生成部を備えるようにしてもよい。
【００２５】
いずれの前記システムクロック生成部であっても、測定期間において単一周波数クロックを出力し、前記測定期間を除く期間において周波数拡散クロックを出力することができる。
【００２６】
【発明の実施の形態】
Ａ．第１実施例：
Ａ１．画像表示装置の構成；
図１は、本発明を適用した第１実施例としての画像表示装置の概略構成を示すブロック図である。この画像表示装置１０は、本発明の画像処理装置としての画像処理部１００と、画像表示部２００とで構成されている。画像処理部１００は、シンクセパレータ１１０と、ビデオデコーダ１２０と、ＡＤコンバータ１３０と、サンプルクロックジェネレータ１４０と、Ｈ／Ｖ同期信号測定回路１５０と、測定用クロックジェネレータ１６０と、ビデオプロセッサ１７０と、システムクロックジェネレータ１８０と、表示系クロックジェネレータ１９０と、を備えている。
【００２７】
システムクロックジェネレータ１８０は、画像処理部１００および画像表示部２００の動作の基準となるシステムクロックＳＹＳＣＫを生成する。システムクロックジェネレータ１８０としては、システムクロックＳＹＳＣＫの発振周波数を変化させることにより、周波数スペクトラムが拡散されたクロック（以下、「周波数拡散クロック」とも呼ぶ）を出力する装置が利用される。このような周波数拡散クロックを出力する装置として、例えば、ＩＣＳ社製のクロックジェネレータＭＫ１７０５や特開平９−９８１５２号に開示されたクロックジェネレータ等が利用可能である。本実施例では、クロックジェネレータＭＫ１７０５を利用することとする。
【００２８】
表示系クロックジェネレータ１９０は、画像表示部２００に供給する信号の動作の基準となる表示系クロックＤＳＣＫをシステムクロックＳＹＳＣＫに基づいて生成する。表示系クロックジェネレータ１９０としては、ＰＬＬを用いたシンセサイザにより構成することができる。なお、表示系クロックＤＳＣＫは、必ずしもシステムクロックＳＹＳＣＫに基づいて生成される必要はなく、システムクロックＳＹＳＣＫと全く独立して生成されるようにしてもよい。
【００２９】
システムクロックＳＹＳＣＫおよび表示系クロックＤＳＣＫは、ビデオプロセッサ１７０に供給されて、種々のクロックに加工され、対応する種々の処理のタイミング信号として利用される。
【００３０】
ビデオプロセッサ１７０は、処理制御部１７２および信号処理部１７４を有している。信号処理部１７４は、後述するＡＤコンバータ１３０やビデオデコーダ１２０から供給されたディジタル画像信号に含まれる画像データを、図示しないフレームメモリに書き込み、あるいは、このフレームメモリに書き込まれた画像データを読み出す。そして、この書き込みと読み出しの処理の過程において、種々の画像処理を実行する。なお、フレームメモリへの書き込みは、システムクロックＳＹＳＣＫに基づいて実行され、フレームメモリからの読み出しは、表示系クロックＤＳＣＫに基づいて実行される。
【００３１】
処理制御部１７２は、図示しないＣＰＵやＲＡＭ、ＲＯＭ等のメモリを有するコンピュータシステムであり、ＣＰＵがメモリに格納されたプログラムを実行することにより、画像処理部１００および画像表示部２００の種々の動作を制御する。例えば、処理制御部１７２は、入力される画像信号を解析する画像信号解析部１７２ａとして機能する。画像信号解析部１７２ａは、Ｈ／Ｖ同期信号測定回路１５０から供給される同期信号特性値に基づいて入力される画像信号を解析する。
【００３２】
Ｈ／Ｖ同期信号測定回路１５０は、後述するように、ビデオプロセッサ１７０から供給される同期信号特性値の測定命令に従って、同期信号特性値として、例えば、垂直同期信号ＶＤの同期信号期間Ｔｖｗおよび同期信号周期Ｔｖｃと、水平同期信号ＨＤの同期信号期間Ｔｈｗおよび同期信号周期Ｔｈｃとを、測定用クロックジェネレータ１６０から供給される測定用クロックＭＣＫに基づいて測定する。また、垂直同期信号ＶＤおよび水平同期信号ＨＤの極性を判定する。Ｈ／Ｖ同期信号測定回路１５０としては、一般的なカウンタ回路や、極性判定回路により構成可能である、
【００３３】
なお、以下では、垂直同期信号ＶＤの同期信号期間Ｔｖｗと水平同期信号ＨＤの同期信号期間Ｔｈｗとを、単に同期信号期間Ｔｗとし、垂直同期信号ＶＤの同期信号周期Ｔｖｃと水平同期信号ＨＤの同期信号周期Ｔｈｃとを、単に同期信号周期Ｔｃとすることもある。
【００３４】
測定用クロックジェネレータ１６０は、ビデオプロセッサ１７０から供給されるクロックに基づいて測定用クロックＭＣＫを生成する。ビデオプロセッサから供給されるクロックは、システムクロックＳＹＳＣＫを加工して生成されるクロックであり、システムクロックＳＹＳＣＫと同様に周波数拡散されている。
【００３５】
測定された同期信号特性値は、ビデオプロセッサ１７０に供給されて画像信号解析部１７２ａによる画像信号の解析に利用される。解析された画像信号の仕様に基づいて、処理制御部１７２によって、信号処理部１７４や、サンプルクロックジェネレータ１４０等の種々の動作が制御される。
【００３６】
なお、画像信号の解析については、さらに後述する。
【００３７】
パーソナルコンピュータやＤＶＤプレーヤ等の画像供給源から出力されるアナログ画像信号は、図示しない入力端子を介してシンクセパレータ１１０に入力される。シンクセパレータ１１０は、アナログ画像信号が同期信号とカラー画像を表す信号（以下、「色画像信号」とも呼ぶ。）とが重畳されている信号である場合に、アナログ画像信号から同期信号を分離する。同期信号が色画像信号に重畳されている信号としては、テレビジョン信号のように輝度信号と色差信号と同期信号とが重畳されたコンポジット信号や、カラー画像を表すＲ（赤），Ｇ（緑），Ｂ（青）の３つの色信号（以下、３つの色信号をまとめて「ＲＧＢ信号」とも呼ぶ。）のうち、Ｇ信号に同期信号が重畳されているシンク・オン・グリーン信号等がある。
【００３８】
アナログ画像信号が、同期信号とＲＧＢ信号とが分離されているコンポーネント信号である場合には、シンクセパレータ１１０は不要である。
【００３９】
分離された同期信号は、Ｈ／Ｖ同期信号測定回路１５０に供給される。また、水平同期信号ＨＤは、サンプルクロックジェネレータ１４０に供給される。
【００４０】
なお、画像処理部１００は、図示しない選択回路を備えて、複数の入力端子を介して入力される複数のアナログ画像信号の中の１つを選択する構成とすることも可能である。
【００４１】
アナログ画像信号は、シンクセパレータ１１０を介してＡＤコンバータ１３０に供給される。ＡＤコンバータ１３０は、サンプルクロックジェネレータ１４０から供給されるサンプルクロックＳＭＰＣＫに基づいて、アナログ信号画像信号をディジタル画像信号に変換する。
【００４２】
サンプルクロックジェネレータ１４０は、入力されるアナログ画像信号に対応する水平同期信号ＨＤに基づいて、アナログ画像信号を量子化するために適切なサンプルクロックＳＭＰＣＫを生成する。サンプルクロックジェネレータ１４０としては、ＰＬＬを用いたシンセサイザにより構成される。サンプルクロックＳＭＰＣＫの周波数は、ビデオプロセッサ１７０から供給される設定データに基づいて決定される。ビデオプロセッサ１７０から供給される設定データは、画像信号解析部１７２ａによって解析された画像信号の仕様に基づいて決定される。
【００４３】
ＡＤコンバータ１３０で変換されたディジタル画像信号は、ビデオプロセッサ１７０に供給される。
【００４４】
図示しない入力端子を介して入力されるディジタル画像信号は、ビデオデコーダ１２０に入力される。ビデオデコーダ１２０は、入力されたディジタル画像信号を、ビデオプロセッサ１７０に供給可能なディジタル画像信号に変換する。また、ビデオデコーダ１２０は、同期信号をＨ／Ｖ同期信号測定回路１５０に供給する。変換されたディジタル画像信号は、ビデオプロセッサ１７０に供給される。
【００４５】
ビデオプロセッサ１７０に供給されたディジタル画像信号に含まれる画像データは、上述したように信号処理部１７４で種々の処理が実行されて、画像表示部２００に供給される。
【００４６】
画像表示部２００は、供給された画像データに対応する画像を表示する。画像表示部２００は、例えば、液晶パネル、および、ビデオプロセッサ１７０から供給される画像データに応じて液晶パネルを駆動する駆動回路とで構成される。さらに、画像表示部２００は、液晶パネルで形成された画像を投写するための光学系を設けて、投写表示装置とすることも可能である。また、画像表示部２００は、プラズマディスプレイパネルやＣＲＴ等の種々の表示デバイスを用いて構成することも可能である。
【００４７】
Ａ２．画像信号解析：
画像信号の仕様は、対応する同期信号の同期信号周期Ｔｃや同期信号期間Ｔｗ、同期信号の極性等の仕様の組み合わせで一義的に決定される。そこで、画像信号解析部１７２ａは、Ｈ／Ｖ同期信号測定回路１５０によって同期信号周期Ｔｃおよび同期信号期間Ｔｗや同期信号の極性等の同期信号特性値を測定させる。そして、測定された同期信号特性値に対応する画像信号の仕様を、あらかじめ準備されているデータベースから求めることによって決定する。
【００４８】
同期信号周期Ｔｃおよび同期信号期間Ｔｗは、Ｈ／Ｖ同期信号測定回路１５０において、既知の周期Ｔｍｃｋを有する測定用クロックＭＣＫがこれらの期間中に発生するクロック数をカウントするにより、下記式に基づいて求めることができる。ただし、同期信号周期Ｔｃにおけるカウント数をｍ（ｍは１以上の整数）、同期信号期間Ｔｗにおけるカウント数をｎ（ｎは１以上の整数）とする。
【００４９】
Ｔｃ≒ｍ・Ｔｍｃｋ  …（１ａ）
Ｔｗ≒ｎ・Ｔｍｃｋ  …（１ｂ）
【００５０】
ここで、測定用クロックＭＣＫは、上述したように周波数拡散されているので、その周期Ｔｍｃｋは、周波数拡散による発振周波数の変化量（拡散量）に応じて変化する。このため、測定された同期信号周期Ｔｃおよび同期信号期間Ｔｗも変化することになる。なお、この拡散量は、通常、基準となる発振周波数に対する変化量±Ｔｐ％で表される。
【００５１】
同期信号周期Ｔｃおよび同期信号期間Ｔｗが変化すると、従来の画像信号解析においては、画像信号の仕様を誤解析する場合があった。しかしながら、本実施例では、画像信号の解析の過程において、以下に示すような画像信号判定ルーチンを実行することにより、画像信号の仕様の誤解析を防止している。
【００５２】
図２は、第１実施例における画像信号判定ルーチンを示すフローチャートである。図２は、水平同期信号による画像信号判定について示している。図２に示す画像信号判定ルーチンが実行されると、まず、ステップＳ１１０において、判定の基準として、前回の画像信号判定ルーチンの実行時に測定されて基準同期信号期間Ｔｈｗｏおよび基準同期信号周期Ｔｈｃｏとして格納されているデータがメモリから読み出される。そして、ステップＳ１２０において、同期信号期間Ｔｈｗおよび同期信号周期Ｔｈｃの許容条件が、下式に基づいて算出される。
【００５３】
ＴｗＨ＝Ｔｈｗｏ・（１＋Ｔｐ／１００）  …（２ａ）
ＴｗＬ＝Ｔｈｗｏ・（１−Ｔｐ／１００）  …（２ｂ）
ＴｃＨ＝Ｔｈｃｏ・（１＋Ｔｐ／１００）  …（２ｃ）
ＴｃＬ＝Ｔｈｃｏ・（１−Ｔｐ／１００）  …（２ｄ）
【００５４】
ただし、ＴｗＨは水平同期信号期間Ｔｈｗの許容最大条件を示し、ＴｃＨは水平同期信号周期Ｔｈｃの許容最大条件を示している。これらの許容最大条件は、周波数拡散によって発生する発振周波数の変化の最大値におけるそれぞれの最大値を示している。また、ＴｗＬは水平同期信号期間Ｔｈｗの許容最小条件を示し、ＴｃＬは水平同期信号周期Ｔｈｃの許容最小条件を示している。これらの許容最小条件は、周波数拡散によって発生する発振周波数の変化の最小値におけるそれぞれの最小値を示している。
【００５５】
次に、ステップＳ１３０において、水平同期信号期間Ｔｈｗおよび水平同期信号周期Ｔｈｃの測定が実行される。この測定は、次のように実行される。まず、Ｈ／Ｖ同期信号測定回路１５０によって、水平同期信号周期Ｔｈｃに対応するカウント数ｍと水平同期信号期間Ｔｈｗに対応するカウント数ｎが測定される。そして、測定されたカウント数ｍ，ｎに基づいて上記（１ａ）および（１ｂ）式により水平同期信号周期Ｔｈｃおよび水平同期信号期間Ｔｈｗが算出される。以上のようにして水平同期信号周期Ｔｈｃおよび水平同期信号期間Ｔｈｗが測定される。なお、水平同期信号周期Ｔｈｃおよび水平同期信号期間Ｔｈｗの算出は、画像信号解析部１７２ａによって行われるようにしてもよい。
【００５６】
ステップＳ１４０では、測定された水平同期信号期間Ｔｈｗが許容最小条件ＴｗＬよりも大きく、許容最大条件ＴｗＨよりも小さい許容範囲内の値であるか否か判断される。
【００５７】
測定された水平同期信号期間Ｔｈｗが許容範囲外である場合には、ステップＳ１６０において「画像信号変化あり」と判定される。
【００５８】
測定された水平同期信号期間Ｔｈｗが許容範囲内である場合には、ステップＳ１５０の処理が行われる。
【００５９】
ステップＳ１５０では、測定された水平同期信号周期Ｔｈｃが許容最小条件ＴｃＬよりも大きく、許容最大条件ＴｃＨよりも小さい範囲、すなわち、許容範囲内であるか否か判断される。
【００６０】
測定された水平同期信号周期Ｔｈｃが許容範囲外である場合には、ステップＳ１６０において「画像信号変化あり」と判定される。
【００６１】
測定された水平同期信号周期Ｔｈｃが許容範囲内である場合には、ステップＳ１７０において「画像信号変化なし」と判定される。なお、「画像信号変化なし」と判定された場合には、次回の画像信号判定ルーチン実行時の基準同期信号期間Ｔｈｗｏおよび基準同期信号周期Ｔｈｃｏとして、今回測定された水平同期信号期間Ｔｈｗおよび水平同期信号周期Ｔｈｃを利用せずに前回の値が維持される。なお、次回の画像信号判定ルーチン実行時の基準同期信号期間Ｔｈｗｏおよび基準同期信号周期Ｔｈｃｏとして、今回測定された水平同期信号期間Ｔｈｗおよび水平同期信号周期Ｔｈｃが利用されるようにしてもよい。
【００６２】
以上の画像信号判定ルーチンにおいて、「画像信号変化あり」と判定された場合には、その変化した水平同期信号の特性値に基づいて、画像信号の解析が行われる。「画像信号変化なし」と判定された場合には、そのままの画像信号の仕様が維持される。
【００６３】
なお、図２に示した画像信号判定ルーチンは、水平同期信号による画像信号判定ルーチンのみを示しているが、実際には、垂直同期信号による画像信号判定も行われる。ただし、垂直同期信号による画像信号判定は、上記水平同期信号による画像信号判定ルーチンの各ステップにおける水平同期信号に対応する処理と同様の処理を、垂直同期信号に対応させて実行することにより実行できるので、ここでは説明を省略する。
【００６４】
以上、説明したように本実施例の画像表示装置１０においては、画像信号を解析する場合に、周波数拡散されたシステムクロックの発振周波数の変化に応じて、測定された同期信号特性値に変化が発生しても、測定された同期信号特性値の変化に基づいて発生する画像信号の誤解析を防止することができる。これにより、周波数拡散されたクロック（周波数拡散クロック）をシステムクロックとして利用することが可能となるので、画像表示装置において発生するＥＭＩノイズの低減を可能とすることができる。
【００６５】
なお、一般に、システムクロックを周波数拡散する場合の拡散量を大きくするほど、ＥＭＩノイズの低減を図ることができる。しかしながら、拡散量を大きくするほど、画像信号の解析時において、測定された同期信号の変化を許容する範囲が広くなるため、「画像信号変化なし」と判定する範囲が広くなり、画像信号の解析精度が悪くなる。このため、本実施例の画像表示装置におけるシステムクロックの周波数拡散のための拡散量は、ＥＭＩノイズの低減量と画像信号の解析精度との妥協点を求めることにより設定される。
【００６６】
Ｂ．第２実施例：
Ｂ１．画像表示装置の構成：
図３は、本発明を適用した第２実施例としての画像表示装置の概略構成を示すブロック図である。この画像表示装置２０は、第１実施例の画像表示装置１０におけるシステムクロックジェネレータ１８０をシステムクロックジェネレータ１８０Ａに置き換えた点を除いて全く同じ構成を有している。そこで、以下では、システムクロックジェネレータ１８０Ａに置き換えたことにより説明を有する点についてのみ説明する。
【００６７】
システムクロックジェネレータ１８０Ａは、拡散量の比較的小さな第１の周波数拡散シンセサイザ１８２と、拡散量の比較的大きな第２の周波数拡散シンセサイザ１８４と、これら２つのシンセサイザから出力される２種類のクロックのうちいずれか一方を選択するセレクタ１８６とで構成されている。
【００６８】
第１の周波数拡散シンセサイザ１８２および第２の周波数拡散シンセサイザ１８４は、第１実施例におけるシステムクロックジェネレータ１８０と同様に拡散周波数クロックを出力する種々のクロックジェネレータが利用可能である。ただし、第１の周波数拡散シンセサイザ１８２は、第２の周波数拡散シンセサイザ１８４に比べて拡散量±Ｔｐ％の値が小さくなっている。例えば、クロックジェネレータＭＫ１７０５では、２つのセレクト入力Ｓ１，Ｓ０に応じて、拡散量が±０．５％、±１％、±１．２５％の３種類のうち１つを選択できるので、例えば、第１の周波数拡散シンセサイザ１８２として、拡散量を±０．５％と設定したＭＫ１７０５を利用し、第２の周波数拡散シンセサイザ１８４として、拡散量を±１％と設定したクロックジェネレータＭＫ１７０５を利用することができる。
【００６９】
システムクロックジェネレータ１８０Ａでは、セレクタ１８６により、通常の動作時においては、第２の周波数拡散シンセサイザ１８４が選択され、画像信号の解析時においては、第１の周波数拡散シンセサイザ１８２が選択される。なお、セレクタ１８６には、第１の周波数拡散シンセサイザ１８２と第２の周波数拡散シンセサイザ１８４の切り替え時において、システムクロックＳＹＳＣＫとして出力されるクロックにサグ等のノイズを防止する一般的な回路が設けられている。
【００７０】
Ｂ２．画像信号の解析：
本実施例において、画像信号の解析は、以下のように実行される。図４は、第２実施例における画像信号判定ルーチンを示すフローチャートである。第２実施例の画像信号判定ルーチンでは、図２の画像信号判定ルーチンにおけるステップＳ１２０とステップＳ１３０との間にステップＳ１２５が追加され、ステップＳ１３０とステップＳ１４０との間にステップＳ１３５が追加されている。また、ステップＳ１２０において許容条件の算出に用いられる周波数拡散の拡散量±Ｔｐ％としては、第１の周波数拡散シンセサイザ１８２の拡散量が利用される。
【００７１】
ステップＳ１２５では、ステップＳ１３０における水平同期信号期間Ｔｈｗおよび水平同期信号周期Ｔｈｃの測定の前に、システムクロックジェネレータ１８０Ａとして第１の周波数拡散シンセサイザ１８２が選択される。このとき、画像表示装置２０における種々の処理は、第２の周波数拡散シンセサイザ１８４に比べて小さな拡散量で拡散され、発振周波数の変化の範囲が狭いシステムクロックＳＹＳＣＫを基準に実行される。
【００７２】
そして、ステップＳ１３０では、第１の周波数拡散シンセサイザ１８２から出力されるシステムクロックＳＹＳＣＫに基づいて生成された測定用クロックＭＣＫを利用して、水平同期信号期間Ｔｈｗおよび水平同期信号周期Ｔｈｃの測定が実行される。
【００７３】
ステップＳ１３０における測定後、ステップＳ１３５では、システムクロックジェネレータ１８０Ａとして第２の周波数拡散シンセサイザ１８４が選択される。このとき、画像表示装置２０の種々の処理は、第１の周波数拡散シンセサイザ１８２に比べて大きな拡散量で拡散され、周波数の変化の範囲が広いシステムクロックＳＹＳＣＫを基準に実行される。
【００７４】
そして、ステップＳ１４０ないしステップＳ１７０において、第１実施例において説明したように画像信号の判定が実行される。
【００７５】
以上、説明したように本実施例の画像表示装置２０においても、画像信号を解析する場合に、周波数拡散されたシステムクロックＳＹＳＣＫの周波数の変化に応じて、測定された同期信号特性値に変化が発生しても、測定された同期信号特性値の変化に基づいて発生する画像信号の誤解析を防止することができる。この結果、周波数拡散されたクロック（周波数拡散クロック）をシステムクロックとして利用することが可能となるので、画像表示装置において発生するＥＭＩノイズの低減を可能とすることができる。
【００７６】
さらに、本実施例においては、以下のような効果を得ることができる。
【００７７】
第１実施例において説明したように、ＥＭＩノイズを低減するためには、システムクロックＳＹＳＣＫの拡散量が大きく、発振周波数の変化が大きい方が好ましい。しかし、画像信号の解析をより精度よく実行するためには、拡散量が小さいほうが好ましく、特に好ましくは、拡散量が０％で発振周波数が実質的に単一の周波数であることが好ましい。
【００７８】
第１実施例においては、上述したように、ＥＭＩノイズの低減と画像信号の解析精度との妥協点からシステムクロックＳＹＳＣＫを周波数拡散するための拡散量が決定される。このため、ＥＭＩノイズに対して所望される低減量に応じて、システムクロックＳＹＳＣＫを周波数拡散するための拡散量を決定することができない。
【００７９】
しかしながら、本実施例では、画像信号の解析時と通常の動作時とで、システムクロックＳＹＳＣＫを切り替えることが可能である。このため、通常の動作時におけるシステムクロックＳＹＳＣＫの拡散量をＥＭＩノイズに対して所望される低減量に応じて設定することができる。また、画像信号の解析時は、通常の動作時に比べて小さな拡散量とすることができるので、ある程度ＥＭＩノイズを低減しつつ、比較的精度よく画像信号の解析を行うことが可能である。ただし、画像信号の解析時におけるシステムクロックＳＹＳＣＫの拡散量は通常の動作時に比べて小さくなるため、画像信号の解析時におけるＥＭＩノイズは通常の動作時におけるＥＭＩノイズに比べて大きくなることが予想される。しかし、画像信号の解析時におけるシステムクロックＳＹＳＣＫも周波数拡散されているので、ある程度ＥＭＩノイズが低減されている。また、画像信号の解析に要する時間は、非常に短いため、実際のＥＭＩノイズの測定にはほとんど影響されない。以上のことから、画像信号の解析時において、通常の動作時に比べてシステムクロックＳＹＳＣＫの拡散量が小さくなってもほとんど問題とならない。
【００８０】
なお、本実施例におけるシステムクロックジェネレータ１８０Ａは、システムクロックＳＹＳＣＫとして、第１の周波数拡散シンセサイザ１８２の出力と第２の周波数拡散シンセサイザ１８４の出力とをセレクタ１８６により選択して、拡散量の異なった２種類の周波数拡散クロックのうち、どちらか一方を出力可能とする構成を示している。しかしながら、出力されるクロックの拡散量を、通常の動作時と画像信号の解析時とで切り替え可能とするシンセサイザを利用することにより同様なシステムクロックジェネレータを構成することも可能である。例えば、クロックジェネレータＭＫ１７０５は、上述したように、２つのセレクト入力Ｓ１，Ｓ０に応じて、拡散量を選択可能であるので、通常の動作時と画像信号の解析時とでセレクト入力Ｓ１，Ｓ０に与えるデータを変化させることにより、拡散量の異なった２種類の周波数拡散クロックを切り替えてシステムクロックＳＹＳＣＫとして出力することができる。
【００８１】
Ｃ．第３実施例：
Ｃ１．画像表示装置の構成：
図５は、本発明を適用した第３実施例としての画像表示装置の概略構成を示すブロック図である。この画像表示装置３０は、第２実施例の画像表示装置２０におけるシステムクロックジェネレータ１８０Ａをシステムクロックジェネレータ１８０Ｂに置き換えた点を除いて全く同じ構成を有している。そこで、以下では、システムクロックジェネレータ１８０Ｂに置き換えたことにより説明を有する点についてのみ説明する。
【００８２】
システムクロックジェネレータ１８０Ｂは、システムクロックジェネレータ１８０Ａの第１の周波数拡散シンセサイザ１８２を単一周波数シンセサイザ１８２ｂとした点が異なっている。
【００８３】
単一周波数シンセサイザ１８２ｂは、周波数拡散されたクロックとは異なり、実質的に単一な発振周波数を有するクロックを出力するクロックジェネレータである。単一周波数シンセサイザ１８２ｂとしては、ＰＬＬを用いた一般的なシンセサイザや水晶発振器等の種々のクロックジェネレータが利用できる。
【００８４】
システムクロックジェネレータ１８０Ｂでは、通常の動作時においては、周波数拡散シンセサイザ１８４が選択され、画像信号の解析時においては、単一周波数シンセサイザ１８２ｂが選択される。
【００８５】
Ｃ２．画像信号の解析；
本実施例において、画像信号の解析は、以下のように実行される。図６は、第３実施例における画像信号判定ルーチンを示すフローチャートである。第３実施例の画像信号判定ルーチンは、図３の画像信号判定ルーチンにおけるステップＳ１２０とステップＳ１２５とステップＳ１３５とが、ステップＳ１２０ａとステップＳ１２５ａとステップＳ１３５ａとに置き換えられている。
【００８６】
画像信号の解析時におけるシステムクロックＳＹＳＣＫとしては、上述したように単一周波数シンセサイザ１８２ｂからの出力が選択されているので、第１実施例および第２実施例のように、拡散量±Ｔｐ％に応じて発生する同期信号の変化は発生しない。そこで、ステップＳ１２０ａでは、同期信号期間Ｔｈｗおよび同期信号周期Ｔｈｃの許容条件が、下式に基づいて算出される。
【００８７】
ＴｗＨ＝Ｔｈｗｏ＋１  …（３ａ）
ＴｗＬ＝Ｔｈｗｏ−１  …（３ｂ）
ＴｃＨ＝Ｔｈｃｏ＋１  …（３ｃ）
ＴｃＬ＝Ｔｈｃｏ−１  …（３ｄ）
【００８８】
ステップＳ１２５ａでは、ステップＳ１３０における水平同期信号期間Ｔｈｗおよび水平同期信号周期Ｔｈｃの測定の前に、システムクロックジェネレータ１８０Ｂとして単一周波数シンセサイザ１８２ｂが選択される。このとき、画像表示装置３０における種々の処理は、実質的に単一の発振周波数を有するシステムクロックＳＹＳＣＫを基準に実行される。
【００８９】
そして、ステップＳ１３０では、単一周波数シンセサイザ１８２ｂから出力されるシステムクロックＳＹＳＣＫに基づいて生成された測定用クロックＭＣＫを利用して、水平同期信号期間Ｔｈｗおよび水平同期信号周期Ｔｈｃの測定が実行される。
【００９０】
ステップＳ１３０における測定後、ステップＳ１３５ａでは、システムクロックジェネレータ１８０Ｂとして周波数拡散シンセサイザ１８４が選択される。このとき、画像表示装置３０の種々の処理は、周波数拡散されたシステムクロックＳＹＳＣＫを基準に動作する。
【００９１】
そして、ステップＳ１４０ないしステップＳ１７０において、第１実施例において説明したように画像信号の判定が実行される。
【００９２】
以上、説明したように本実施例の画像表示装置３０においては、動作の基準となるシステムクロックを、画像信号の解析時には、実質的に単一の発振周波数を有するクロック（単一周波数クロック）とし、通常の動作時には、周波数拡散されたクロック（周波数拡散クロック）とすることができる。これにより、画像信号の解析時における誤動作を防止するとともに、通常の動作時におけるＥＭＩノイズの低減を図ることができる。特に、通常の動作時におけるシステムクロックの拡散量をＥＭＩノイズに対して所望される低減量に応じて設定することができる。また、画像信号の解析時には、システムクロックの発振周波数を実質的に単一の周波数とすることができるので、第２実施例に比べてさらに精度よく画像信号の解析を行うことができる。ただし、画像信号の解析時のシステムクロックは実質的に単一の発振周波数となるので、この場合におけるＥＭＩノイズは大きくなる。しかし、画像信号の解析に要する時間は非常に短いため、実際のＥＭＩノイズの測定にはほとんど影響されず、問題とならない。なお、画像信号の解析時におけるＥＭＩノイズも問題となる場合には、第２実施例の方が第３実施例に比べて有利である。
【００９３】
なお、本実施例におけるシステムクロックジェネレータ１８０Ｂは、システムクロックＳＹＳＣＫとして、単一周波数シンセサイザ１８２ｂの出力と周波数拡散シンセサイザ１８４の出力とをセレクタ１８６により選択して、２種類の異なったクロックのうち、どちらか一方を出力可能とする構成を示している。しかしながら、出力されるクロックを周波数拡散するか否か切り替え可能なシンセサイザを利用することにより同様なシステムクロックジェネレータを構成することも可能である。例えば、イネーブル入力ＬＥＥに応じて周波数拡散のオン／オフを選択することができるので、通常の動作時と画像信号の解析時とでイネーブル入力ＬＥＥに与えるデータを変化させることにより、単一周波数クロックと周波数拡散クロックとを切り替えてシステムクロックＳＹＳＣＫとして出力することができる。
【００９４】
なお、本発明は上記の実施例や実施形態に限られるものではなく、その要旨を逸脱しない範囲において種々の態様において実施することが可能である。
【図面の簡単な説明】
【図１】本発明を適用した第１実施例としての画像表示装置の概略構成を示すブロック図である。
【図２】第１実施例における画像信号判定ルーチンを示すフローチャートである。
【図３】本発明を適用した第２実施例としての画像表示装置の概略構成を示すブロック図である。
【図４】第２実施例における画像信号判定ルーチンを示すフローチャートである。
【図５】本発明を適用した第３実施例としての画像表示装置の概略構成を示すブロック図である。
【図６】第３実施例における画像信号判定ルーチンを示すフローチャートである。
【図７】クロックの周波数スペクトラムの例を示す説明図である。
【符号の説明】
１０…画像表示装置
２０…画像表示装置
３０…画像表示装置
１００…画像処理部
２００…画像表示部
１１０…シンクセパレータ
１２０…ビデオデコーダ
１４０…サンプルクロックジェネレータ
１４０…Ｈ／Ｖ同期信号測定回路
１６０…測定用クロックジェネレータ
１７０…ビデオプロセッサ
１７２…処理制御部
１７２ａ…画像信号解析部
１７４…信号処理部
１８０…システムクロックジェネレータ
１８０Ａ…システムクロックジェネレータ
１８０Ｂ…システムクロックジェネレータ
１８２，１８４…の周波数拡散シンセサイザ
１８２ｂ…単一周波数シンセサイザ
１８６…セレクタ
１９０…表示系クロックジェネレータ
ＶＤ…垂直同期信号
ＨＤ…水平同期信号
ＳＹＳＣＫ…システムクロック
ＤＳＣＫ…表示系クロック
ＭＣＫ…測定用クロック
ＳＭＰＣＫ…サンプルクロック
【図１】
0003591503.tif 000002
【図２】
0003591503.tif 000003
【図３】
0003591503.tif 000004
【図４】
0003591503.tif 000005
【図５】
0003591503.tif 000006
【図６】
0003591503.tif 000007
【図７】
0003591503.tif 000008